(57)【特許請求の範囲】
【請求項１】
鉄片部材を設けておりシャッタ地板に回転可能に取り付けられその回動によって先羽根に露光用開口部の開閉作動を行わせる先羽根駆動部材と、鉄片部材を設けておりシャッタ地板に回転可能に取り付けられその回動によって後羽根に露光用開口部の開閉作動を行わせる後羽根駆動部材と、コイルボビンを装着しておりシャッタ地板に立設した第１の軸に取り付けられて前記先羽根駆動部材の鉄片部材を吸着保持する先羽根制御用電磁石の鉄芯部材と、コイルボビンを装着しておりシャッタ地板に立設した第２の軸に取り付けられて前記後羽根駆動部材の鉄片部材を吸着保持する後羽根制御用電磁石の鉄芯部材と、シャッタ地板に立設された第３の軸に回転可能に取り付けられ先羽根駆動部材と後羽根駆動部材とをセットするセット部材とを備えていることを特徴とするフォーカルプレンシャッタ。
【請求項２】
前記第１の軸と第２の軸に取付板を取り付けたあと、その取付板に載置するようにして前記二つの鉄芯部材を夫々前記第１の軸と第２の軸に取り付けるようにしたことを特徴とする請求項１に記載のフォーカルプレンシャッタ。
【請求項３】
前記取付板には前記二つの鉄芯部材が前記第１の軸と第２の軸において回転するのを規制する規制部を設けていることを特徴とする請求項２に記載のフォーカルプレンシャッタ。
【請求項４】
前記第１の軸と第２の軸の一方が、前記第３の軸と同じ軸であることを特徴とする請求項１乃至３の何れかに記載のフォーカルプレンシャッタ。
【発明の詳細な説明】
【０００１】
【発明の属する技術分野】
本発明は、作動開始時機を夫々の電磁石によって制御される先羽根用駆動部材と後羽根用駆動部材とが、夫々の駆動ばねによって順次作動することによって先羽根と後羽根に露光走行を行わせるようにしたカメラ用のフォーカルプレンシャッタに関する。
【０００２】
【従来の技術】
この種のフォーカルプレンシャッタは、夫々の電磁石と各駆動部材との連動構成の違いによって大きく二つのタイプに分けることができ、一般には、一方を係止タイプといい、他方をダイレクトタイプといっている。本発明は、そのうちのダイレクトタイプに関するものであるが、このタイプのものは、各駆動部材に夫々鉄片部材を設け、撮影に先立って、電磁石がその鉄片部材を、上記した駆動ばねの力に抗して直接吸着保持するようにしたものである。従って、このタイプのシャッタは、連動部材を介在させないため組立状態において駆動部材と電磁石との相対関係を調整できる余地が殆どなく、それらの位置決めが適正でない場合には、組み直さざるを得ないという事態を生じてしまう。そのため、このタイプのシャッタにおいては、予めそのようなことがないように設計されていることが要求されている。
【０００３】
そこで、このタイプのシャッタの従来例を、図２に示した分解斜視図及び図３に示した平面図によって説明する。シャッタ地板１には、露光用開口部１ａと二つの円弧状の孔１ｂ，１ｃが形成され、且つ三つの軸１ｄ，１ｅ，１ｆが立設されている。このうち軸１ｄ，１ｅは、シャッタ地板１の背面側にも突き出ており、複数の羽根を枢支している周知の先羽根用主アームＡと後羽根用主アームＢを、夫々回転可能に軸支するようになっている。
【０００４】
これらの軸１ｄ，１ｅ，１ｆは、いずれもシャッタ地板１の表面側に間座部と径の大きい軸部と径の小さい軸部とを有しており、明示していないが先端には、ねじ穴が形成されている。そして、径の大きい軸部には、夫々、合成樹脂製の先羽根用駆動部材２，後羽根用駆動部材３，セット部材４が回転可能に取り付けられている。先羽根用駆動部材２，後羽根用駆動部材３の各駆動ピン２ａ，３ａは、周知のように孔１ｂ，１ｃを貫通してシャッタ地板１の背面側で上記した各主アームＡ，Ｂに形成された孔Ａ１，Ｂ１に嵌合している。また、これらの駆動部材２，３には鉄片部材２ｂ，３ｂ、ローラー２ｃ，３ｃが取り付けられているが、それらの取付け構成は周知であるので説明を省略する。そして、図示していないが、これらの駆動部材２，３には夫々駆動ばねが掛けられており、各駆動部材２，３を反時計方向へ付勢している。
【０００５】
セット部材４は押動部４ａ，４ｂを有しており、シャッタのセット時に、それらによってローラー２ｃ，３ｃを押し、上記した駆動ばねの付勢力に抗して各駆動部材２，３を時計方向へ回転させるようになっている。取付板５は２段構成になっており、上段には二つの孔５ａ，５ｂが、下段には孔５ｃが形成されており、また上段には弾性を有する二つの折曲部５ｄ，５ｅが形成されている。そしてこれらの孔５ａ，５ｂ，５ｃには、夫々軸１ｄ，１ｅ，１ｆの径の小さい軸部が嵌合しており、軸１ｆには上方から図示していないねじが螺合している。
【０００６】
先羽根用電磁石６と後羽根用電磁石７とは、夫々、鉄芯部材６ａ，７ａとコイルボビン６ｂ，７ｂとで構成されている。明示されていないが鉄芯部材６ａ，７ａは略Ｕ字形をしていて、二つの磁極部はその先端面によって上記した鉄片部材２ｂ，３ｂを吸着し得るようになっている。また、これらの鉄芯部材６ａ，７ａは、その基部を、上記した取付板５の折曲部５ｄ，５ｅによって押されるようになっている。他方、コイルボビン６ｂ，７ｂは、夫々二つの突起部６ｂ1 ，７ｂ1 を有しており、鉄芯部材６ａ，７ａの一方の磁極部に嵌装されている。
【０００７】
プリント配線板８には、孔８ａ，８ｂが形成されており、軸１ｄ，１ｅの径の小さい軸部に嵌合するようになっている。また、夫々一対の孔８ｃ，８ｄが形成されており、コイルボビン６ｂ，７ｂの突起部６ｂ1 ，７ｂ1 に嵌合するようになっている。そして、電磁石６，７は、コイルボビン６ｂ，７ｂを取付板５の下段に載置させ、プリント配線板８の上方から、図示していないねじを、軸１ｄ，１ｅの先端に螺合させることによって取り付けられている。
【０００８】
【発明が解決しようとする課題】
しかしながら、上記のような従来構成によると、軸１ｄ，１ｅに取り付けられている駆動部材２，３の鉄片部材２ｂ，３ｂに対し、鉄芯部材６ａ，７ａの対応位置を適正に位置決めすることが極めて難しい。即ち、先ず、取付板５の三つの孔５ａ，５ｂ，５ｃと軸１ｄ，１ｅ，１ｆとの嵌合関係に誤差が生じてしまうし、また、コイルボビン６ｂ，７ｂの突起部６ｂ1 ，７ｂ1 とプリント配線板８の孔８ｃ，８ｄとの嵌合関係に誤差が生じるし、更には、プリント配線板８の孔８ａ，８ｂと軸１ｄ，１ｅとの嵌合関係にも誤差が生じてしまうというように、従来構成によれば、鉄芯部材６ａ，７ａの位置決めに関与する嵌合部が極めて多いことにその原因がある。そのため、各部品の加工精度を上げざるを得ないという問題点があった。
【０００９】
本発明は、このような問題点を解決するためになされたものであり、その目的とするところは、先羽根用電磁石と後羽根用電磁石の各鉄芯部材を、先羽根用駆動部材と後羽根用駆動部材の各鉄片部材に対応させ、所定の適正位置に好適に位置決めできる構成のフォーカルプレンシャッタを提供することである。
【００１０】
【課題を解決するための手段】
上記の目的を達成するために、本発明におけるフォーカルプレンシャッタは、鉄片部材を設けておりシャッタ地板に回転可能に取り付けられその回動によって先羽根に露光用開口部の開閉作動を行わせる先羽根駆動部材と、鉄片部材を設けておりシャッタ地板に回転可能に取り付けられその回動によって後羽根に露光用開口部の開閉作動を行わせる後羽根駆動部材と、コイルボビンを装着しておりシャッタ地板に立設した第１の軸に取り付けられて前記先羽根駆動部材の鉄片部材を吸着保持する先羽根制御用電磁石の鉄芯部材と、コイルボビンを装着しておりシャッタ地板に立設した第２の軸に取り付けられて前記後羽根駆動部材の鉄片部材を吸着保持する後羽根制御用電磁石の鉄芯部材と、シャッタ地板に立設された第３の軸に回転可能に取り付けられ先羽根駆動部材と後羽根駆動部材とをセットするセット部材とを備えている。
また、本発明におけるフォーカルプレンシャッタは、好ましくは、前記第１の軸と第２の軸に取付板を取り付けたあと、その取付板に載置するようにして前記二つの鉄芯部材を夫々前記第１の軸と第２の軸に取り付けるようにする。
更に、本発明におけるフォーカルプレンシャッタは、好ましくは、前記取付板には前記二つの鉄芯部材が前記第１の軸と第２の軸において回転するのを規制する規制部を設けるようにする。
また、本発明におけるフォーカルプレンシャッタは、好ましくは、前記第１の軸と第２の軸の一方が、前記第３の軸と同じ軸であるようにする。
【００１１】
【発明の実施の形態】
本発明の実施の形態を図１に示した実施例で説明する。図１は、図２と同じようにして示した分解斜視図である。この図１においては、図２に示したものと実質的に同じ部品，部位に同じ符号を付けてある。そのため、それらの構成についての詳細な説明は省略し、異なる構成についてのみ説明する。本実施例において、シャッタ地板１に立設されている軸１ｆは、従来例と同様に、間座部と径の大きい軸部と径の小さい軸部とを有しているが、径の小さい軸部は、その長さが従来例よりも長く形成されている。また、シャッタ地板１には、新たに軸１ｇが立設されており、この軸１ｇも、間座部と径の大きい軸部と径の小さい軸部とを有しており、明示していないが先端には、ねじ穴が形成されている。尚、最近は、シャッタ地板１を合成樹脂で製作することがあるので、その場合には上記した軸１ｄ，１ｅ，１ｆ，１ｇを一体成形にて立設しても差し支えない
【００１２】
先羽根用駆動部材２と後羽根用駆動部材３の各鉄片部材２ｂ，３ｂは、従来例のものを９０度回転させた姿勢にして取り付けられている。本実施例の取付板１５も２段構成となっており、上段には二つの孔１５ａ，１５ｂが形成され、下段にも二つの孔１５ｃ，１５ｄが形成されている。そして、それらの孔１５ａ，１５ｂ，１５ｃ，１５ｄには夫々軸１ｄ，１ｅ，１ｆ，１ｇの径の小さい軸部が嵌合している。また、下段には二つの折曲部１５ｅ，１５ｆと二つの逃げ部１５ｇ，１５ｈが形成されている。
【００１３】
本実施例の先羽根用電磁石１６と後羽根用電磁石１７とは、夫々、鉄芯部材１６ａ，１７ａとコイルボビン１６ｂ，１７ｂとで構成されている。各鉄芯部材１６ａ，１７ａは略Ｕ字形をしていて、二つの磁極部はその先端面によって上記した鉄片部材２ｂ，３ｂを吸着し得るようになっている。また、各鉄芯部材１６ａ，１７ａの基部には孔１６ａ1 ，１７ａ1 が形成されており、それらを夫々軸１ｆ，１ｇの径の小さい軸部に嵌合させている。更に、鉄芯部材１６ａ，１７ａは、夫々の磁極部の一方が、その側面を上記した取付板１５の折曲部１５ｅ，１５ｆに接触させ得るようになっている。他方、コイルボビン１６ｂ，１７ｂは、鉄芯部材１６ａ，１７ａの他方の磁極部に嵌装されていて、図面上その下方部が上記した取付板１５の逃げ部１５ｇ，１５ｈ内に入り込むようになっている。
【００１４】
また、プリント配線板１８には、四つの孔１８ａ，１８ｂ，１８ｃ，１８ｄが形成されており、それらを軸１ｄ，１ｅ，１ｆ，１ｇの径の小さい軸部に嵌合させている。そして、図示していない四つのねじを、上方から軸１ｄ，１ｅ，１ｆ，１ｇの先端に螺合させることによって、電磁石１６，１７を、取付板１５の下段とプリント配線板１８との間に取り付けている。
【００１５】
このように、本実施例においては、各鉄芯部材１６ａ，１７ａの位置決め精度に関与する嵌合部が、夫々軸１ｆ，１ｇとの１箇所であるから、従来例のように誤差の累積によって所定の位置から大きくずれてしまうようなことはなく、また軸１ｆ，１ｇにおける回転方向の位置も折曲部１５ｅ，１５ｆによって規制され、精度のよい位置決めが可能となる。
【００１６】
次に、本実施例の作動を簡単に説明しておく。撮影終了後、初期位置からセット部材４を反時計方向へ回転させると、押動部４ａ，４ｂがローラー２ｃ，３ｃを押して、図示していない駆動ばねに抗して各駆動部材２，３を時計方向へ回転させる。それによって、駆動ピン２ａ，３ａが図示していない先羽根と後羽根をセット位置へ移動させる。このセット作動は、各駆動部材２，３の鉄片部材２ｂ，３ｂが鉄芯部材６ａ，７ａの磁極部の先端に接触した状態で停止する。
【００１７】
撮影に際してレリーズボタンを押すと、先ず電磁石１６，１７に通電して、鉄片部材６ａ，７ａを吸着し、セット位置で各駆動部材２，３を磁気的に保持する。この状態で、セット部材４を直ちに初期位置へ復帰させる。その後、電磁石１６への通電が断たれると、図示していない駆動ばねによって先羽根用駆動部材２が急速に反時計方向へ回転し、露光用開口部１ａを開放する。電磁石１６に続いて電磁石１７への通電が断たれると、図示していない駆動ばねによって後羽根用駆動部材３も急速に反時計方向へ回転し、露光用開口部１ａを閉鎖し、撮影が終了する。
【００１８】
尚、本実施例においては鉄芯部材１６ａをセット部材４と共通の軸１ｆに取り付けているが、本発明は、シャッタ地板１に独立した別の軸を立設し、その軸に鉄芯部材１６ａを取り付けるようにしても差し支えない。また、そのように鉄芯部材１６ａを別の独立した軸に取り付けた場合には、鉄芯部材１７ａをセット部材４と共通の軸１ｆに取り付けるようにしても構わない。
【００１９】
【発明の効果】
上記のように、本発明によれば、各電磁石の鉄芯部材を、夫々シャッタ地板に立設された軸に直接取り付けるようにしたので、誤差の影響を殆ど受けず、鉄芯部材の位置決めを適正に行うことが可能となる。
【図面の簡単な説明】
【図１】本発明の実施例を示した分解斜視図である。
【図２】従来例を示した分解斜視図である。
【図３】従来例の羽根支持構成を示した平面図である。
【符号の説明】
１                            シャッタ地板
５ａ〜５ｃ，８ａ〜８ｄ，１５ａ〜１５ｄ，１６ａ1 ，１７ａ1 ，１８ａ〜１８ｄ    孔
１ｄ，１ｅ，１ｆ，１ｇ        軸
２                            先羽根用駆動部材
２ａ，３ａ                    駆動ピン
２ｂ，３ｂ                    鉄片部材
３                            後羽根用駆動部材
４                            セット部材
４ａ，４ｂ                    押動部
５，１５                      取付板
５ｄ，５ｅ，１５ｅ，１５ｆ    折曲部
６，１６                      先羽根用電磁石
７，１７                      後羽根用電磁石
６ａ，７ａ，１６ａ，１７ａ    鉄芯部材
６ｂ，７ｂ，１６ｂ，１７ｂ    コイルボビン
８，１８                      プリント配線板
【図１】
0003716038.tif 000002
【図２】
0003716038.tif 000003
【図３】
0003716038.tif 000004